(57)【要約】【課題】確実に焼き付きを防止する。【解決手段】デジタル放送受信機のＭＰＵ１１は、機能的に、受信しているＴＳ（Ｔｒａｎｓｐｏｒｔ  Ｓｔｒｅａｍ）に含まれる映像の情報量である映像ビットレートを求める情報量算出部１１１と、情報量算出部１１１によって求められた映像ビットレートに基づいて、ＦＰＤの焼き付きを防止する処理であるスクリーンセーバを起動させるか否かを判定する起動判定部１１４と、起動判定部１１４によってスクリーンセーバを起動させると判定された場合に、スクリーンセーバを実行するセーバ実行部１１５と、を備えている。【選択図】図２
2008135962.tif 000002
【特許請求の範囲】
【請求項１】
デジタルテレビ放送を受信し、ＰＤＰ（Ｐｌａｓｍａ  Ｄｉｓｐｌａｙ  Ｐａｎｅｌ）に出力可能に構成された放送受信装置であって、
受信しているＴＳ（Ｔｒａｎｓｐｏｒｔ  Ｓｔｒｅａｍ）に含まれる映像の情報量である映像ビットレートを求める情報量算出手段と、
前記情報量算出手段によって求められた映像ビットレートの、予め設定された所定期間内の最大値を求める最大値算出手段と、
前記ＰＤＰに出力される画面の解像度を示す解像度情報、前記ＰＤＰに出力される画面を更新する頻度を示すフレームレート情報、及び、前記ＰＤＰに出力される画面の走査方式を示す走査方式情報に基づいて、前記ＰＤＰの焼き付きを防止する処理であるスクリーンセーバを起動させるか否かを判定する閾値である判定閾値を設定する閾値設定手段と、
前記最大値算出手段によって求められた最大値が、前記閾値設定手段によって設定された判定閾値以下であるか否かに基づいて、前記スクリーンセーバを起動させるか否かを判定する起動判定手段と、
前記起動判定手段によってスクリーンセーバを起動させると判定された場合に、スクリーンセーバを実行するセーバ実行手段と、
前記セーバ実行手段によってスクリーンセーバが実行された時点からの経過時間を求める経過時間算出手段と、
前記経過時間算出手段によって求められた経過時間が予め設定された所定時間以下である場合に、前記セーバ実行手段に対して、前記スクリーンセーバの起動を禁止する禁止手段と、
を備え、
前記セーバ実行手段は、前記スクリーンセーバとして、ＰＤＰに表示される映像を、基準となる表示位置から少なくとも１画素分だけ、上下左右の少なくとも１の方向に移動させることを特徴とする放送受信装置。
【請求項２】
デジタルテレビ放送を受信し、ＦＰＤ（Ｆｌａｔ  Ｐａｎｅｌ  Ｄｉｓｐｌａｙ）に出力可能に構成された放送受信装置であって、
受信しているＴＳ（Ｔｒａｎｓｐｏｒｔ  Ｓｔｒｅａｍ）に含まれる映像の情報量である映像ビットレートを求める情報量算出手段と、
前記情報量算出手段によって求められた映像ビットレートに基づいて、前記ＦＰＤの焼き付きを防止する処理であるスクリーンセーバを起動させるか否かを判定する起動判定手段と、
前記起動判定手段によってスクリーンセーバを起動させると判定された場合に、スクリーンセーバを実行するセーバ実行手段と、
を備えることを特徴とする放送受信装置。
【請求項３】
前記情報量算出手段によって求められた映像ビットレートの、予め設定された所定期間内の最大値を求める最大値算出手段を備え、
前記起動判定手段は、前記最大値算出手段によって求められた最大値に基づいて、前記スクリーンセーバを起動させるか否かを判定することを特徴とする請求項２に記載の放送受信装置。
【請求項４】
前記ＦＰＤに出力される画面の解像度を示す解像度情報、前記ＦＰＤに出力される画面を更新する頻度を示すフレームレート情報、及び、前記ＦＰＤに出力される画面の走査方式を示す走査方式情報の少なくとも１の情報に基づいて、前記スクリーンセーバを起動させるか否かを判定する閾値である判定閾値を設定する閾値設定手段を備え、
前記起動判定手段は、前記最大値算出手段によって求められた最大値が、前記閾値設定手段によって設定された判定閾値以下であるか否かに基づいて、前記スクリーンセーバを起動させるか否かを判定することを特徴とする請求項３に記載の放送受信装置。
【請求項５】
前記セーバ実行手段によってスクリーンセーバが実行された時点からの経過時間を求める経過時間算出手段と、
前記経過時間算出手段によって求められた経過時間が予め設定された所定時間以下である場合に、前記セーバ実行手段に対して、前記スクリーンセーバの起動を禁止する禁止手段と、
を備えることを特徴とする請求項２〜請求項４のいずれかに記載の放送受信装置。
【請求項６】
前記セーバ実行手段は、前記スクリーンセーバとして、前記ＦＰＤに表示される映像を、基準となる表示位置から少なくとも１画素分だけ、上下左右の少なくとも１の方向に移動させることを特徴とする請求項２〜請求項５のいずれかに記載の放送受信装置。
【請求項７】
前記ＦＰＤは、ＰＤＰ（Ｐｌａｓｍａ  Ｄｉｓｐｌａｙ  Ｐａｎｅｌ）からなることを特徴とする請求項２〜請求項６のいずれかに記載の放送受信装置。
【発明の詳細な説明】
【技術分野】
【０００１】
本発明は、デジタルテレビ放送を受信し、ＰＤＰ（Ｐｌａｓｍａ  Ｄｉｓｐｌａｙ  Ｐａｎｅｌ）等のＦＰＤ（Ｆｌａｔ  Ｐａｎｅｌ  Ｄｉｓｐｌａｙ）に出力可能に構成された放送受信装置に関する。特に、ＰＤＰの焼き付きを防止する処理であるスクリーンセーバを実行可能に構成された放送受信装置に関する。
【背景技術】
【０００２】
近年、デジタルテレビ放送を受信して外部から視認可能に表示するディスプレイとして、ＰＤＰ等のＦＰＤが普及している。ＰＤＰ等のディスプレイでは、予め設定された定点でドット表示を行うものであるが、この表示に用いる電圧が高く、且つ、長時間に亘って印加される場合には、表示面に蒸着された蛍光物質等を変性させることになる。このため、ＰＤＰ等のディスプレイでは、連続して静止画像を長時間に亘って連続して表示すると、いわゆる焼き付き（＝残像）が生じ、画面に表示される映像の品位が低下する場合がある。
【０００３】
そこで、焼き付きを防止するために、種々のディスプレイが提案されている。例えば、映像信号が静止画映像信号であるか否かを判定して、静止画映像信号であると判定された場合に、焼き付きを防止するために表示ドットの移動（＝スクリーンセーバの起動）を行うディスプレイが開示されている（特許文献１参照）。
【特許文献１】特開２００６−２０１２８５号公報
【発明の開示】
【発明が解決しようとする課題】
【０００４】
しかしながら、上記ディスプレイでは、映像信号が静止画映像信号である場合に、スクリーンセーバが起動されるため、映像信号の一部が静止画映像信号である場合には、スクリーンセーバが起動されず、その部分に対応する位置に焼き付きが発生する場合がある。
【０００５】
本発明は、上記課題に鑑みてなされたものであって、確実に焼き付きを防止することが可能な放送受信装置を提供することを目的としている。
【課題を解決するための手段】
【０００６】
上記目的を達成するために請求項１に記載の放送受信装置は、デジタルテレビ放送を受信し、ＰＤＰ（Ｐｌａｓｍａ  Ｄｉｓｐｌａｙ  Ｐａｎｅｌ）に出力可能に構成された放送受信装置であって、受信しているＴＳ（Ｔｒａｎｓｐｏｒｔ  Ｓｔｒｅａｍ）に含まれる映像の情報量である映像ビットレートを求める情報量算出手段と、前記情報量算出手段によって求められた映像ビットレートの、予め設定された所定期間内の最大値を求める最大値算出手段と、前記ＰＤＰに出力される画面の解像度を示す解像度情報、前記ＰＤＰに出力される画面を更新する頻度を示すフレームレート情報、及び、前記ＰＤＰに出力される画面の走査方式を示す走査方式情報に基づいて、前記ＰＤＰの焼き付きを防止する処理であるスクリーンセーバを起動させるか否かを判定する閾値である判定閾値を設定する閾値設定手段と、前記最大値算出手段によって求められた最大値が、前記閾値設定手段によって設定された判定閾値以下であるか否かに基づいて、前記スクリーンセーバを起動させるか否かを判定する起動判定手段と、前記起動判定手段によってスクリーンセーバを起動させると判定された場合に、スクリーンセーバを実行するセーバ実行手段と、前記セーバ実行手段によってスクリーンセーバが実行された時点からの経過時間を求める経過時間算出手段と、前記経過時間算出手段によって求められた経過時間が予め設定された所定時間以下である場合に、前記セーバ実行手段に対して、前記スクリーンセーバの起動を禁止する禁止手段と、を備え、前記セーバ実行手段が、前記スクリーンセーバとして、ＰＤＰに表示される映像を、基準となる表示位置から少なくとも１画素分だけ、上下左右の少なくとも１の方向に移動させることを特徴としている。
【０００７】
請求項２に記載の放送受信装置は、デジタルテレビ放送を受信し、ＦＰＤ（Ｆｌａｔ  Ｐａｎｅｌ  Ｄｉｓｐｌａｙ）に出力可能に構成された放送受信装置であって、受信しているＴＳ（Ｔｒａｎｓｐｏｒｔ  Ｓｔｒｅａｍ）に含まれる映像の情報量である映像ビットレートを求める情報量算出手段と、前記情報量算出手段によって求められた映像ビットレートに基づいて、前記ＦＰＤの焼き付きを防止する処理であるスクリーンセーバを起動させるか否かを判定する起動判定手段と、前記起動判定手段によってスクリーンセーバを起動させると判定された場合に、スクリーンセーバを実行するセーバ実行手段と、を備えることを特徴としている。
【０００８】
請求項３に記載の放送受信装置は、請求項２に記載の放送受信装置であって、前記情報量算出手段によって求められた映像ビットレートの、予め設定された所定期間内の最大値を求める最大値算出手段を備え、前記起動判定手段が、前記最大値算出手段によって求められた最大値に基づいて、前記スクリーンセーバを起動させるか否かを判定することを特徴としている。
【０００９】
請求項４に記載の放送受信装置は、請求項３に記載の放送受信装置であって、前記ＦＰＤに出力される画面の解像度を示す解像度情報、前記ＦＰＤに出力される画面を更新する頻度を示すフレームレート情報、及び、前記ＦＰＤに出力される画面の走査方式を示す走査方式情報の少なくとも１の情報に基づいて、前記スクリーンセーバを起動させるか否かを判定する閾値である判定閾値を設定する閾値設定手段を備え、前記起動判定手段が、前記最大値算出手段によって求められた最大値が、前記閾値設定手段によって設定された判定閾値以下であるか否かに基づいて、前記スクリーンセーバを起動させるか否かを判定することを特徴としている。
【００１０】
請求項５に記載の放送受信装置は、請求項２〜請求項４のいずれかに記載の放送受信装置であって、前記セーバ実行手段によってスクリーンセーバが実行された時点からの経過時間を求める経過時間算出手段と、前記経過時間算出手段によって求められた経過時間が予め設定された所定時間以下である場合に、前記セーバ実行手段に対して、前記スクリーンセーバの起動を禁止する禁止手段と、を備えることを特徴としている。
【００１１】
請求項６に記載の放送受信装置は、請求項２〜請求項５のいずれかに記載の放送受信装置であって、前記セーバ実行手段が、前記スクリーンセーバとして、前記ＦＰＤに表示される映像を、基準となる表示位置から少なくとも１画素分だけ、上下左右の少なくとも１の方向に移動させることを特徴としている。
【００１２】
請求項７に記載の放送受信装置は、請求項２〜請求項６のいずれかに記載の放送受信装置であって、前記ＦＰＤが、ＰＤＰ（Ｐｌａｓｍａ  Ｄｉｓｐｌａｙ  Ｐａｎｅｌ）からなることを特徴としている。
【発明の効果】
【００１３】
請求項１に記載の放送受信装置によれば、受信しているＴＳに含まれる映像の情報量である映像ビットレートが求められ、求められた映像ビットレートに基づいて、ＰＤＰの焼き付きを防止する処理であるスクリーンセーバを起動させるか否かが判定され、スクリーンセーバを起動させると判定された場合に、スクリーンセーバが実行されるため、確実にＰＤＰの焼き付きを防止することができる。
【００１４】
すなわち、ＴＳに含まれる映像の情報量である映像ビットレートに基づいて、ＰＤＰの焼き付きを防止する処理であるスクリーンセーバを起動させるか否かが判定されるため、例えば、映像ビットレートが予め設定された所定の閾値以下である場合には、映像の一部が静止画像である（例えば、背景に人物が居る映像である場合に、背景に対応する部分が静止画像である）ことが推定されるので、この場合にもスクリーンセーバを起動させると判定することによって確実にＰＤＰの焼き付きを防止することができるのである。
【００１５】
また、映像ビットレートの、予め設定された所定期間内の最大値が求められ、求められた最大値に基づいて、スクリーンセーバを起動させるか否かが判定されるため、適正な頻度でスクリーンセーバを起動させることができる。
【００１６】
すなわち、映像ビットレートの予め設定された所定期間内の最大値に基づいて、スクリーンセーバを起動させるか否かが判定されるため、静止画像（＝映像の一部が静止画像である場合も含む）が所定期間（例えば、３０秒間）以上表示される場合に限ってスクリーンセーバを起動させると判定されるので、所定期間を適正な値に設定することによって、適正な頻度でスクリーンセーバを起動させることができるのである。
【００１７】
更に、ＰＤＰに出力される画面の解像度を示す解像度情報、ＰＤＰに出力される画面を更新する頻度を示すフレームレート情報、及び、ＰＤＰに出力される画面の走査方式を示す走査方式情報に基づいて、スクリーンセーバを起動させるか否かを判定する閾値である判定閾値が設定される。そして、映像ビットレートの予め設定された所定期間内の最大値が、設定された判定閾値以下であるか否かに基づいて、スクリーンセーバを起動させるか否かが判定されるため、更に適正な頻度でスクリーンセーバを起動させることができる。
【００１８】
すなわち、ＰＤＰに出力される画面の解像度を示す解像度が高い程、ＰＤＰに出力される画面を更新する頻度を示すフレームレートが高い程、映像ビットレートは増大し、ＰＤＰに出力される画面の走査方式がプログレッシブ方式である場合には、ＰＤＰに出力される画面の走査方式がインターレース方式である場合よりも映像ビットレートが増大するため、解像度情報、フレームレート情報、及び、走査方式情報に基づいてスクリーンセーバを起動させるか否かを判定する閾値である判定閾値が設定されるので、適正な判定閾値を設定することができる。また、適正な値に設定された判定閾値に基づいて、スクリーンセーバを起動させるか否かが判定されるため、更に適正な頻度でスクリーンセーバを起動させることができるのである。
【００１９】
加えて、スクリーンセーバが実行された時点からの経過時間が求められ、求められた経過時間が予め設定された所定時間以下である場合に、スクリーンセーバの起動が禁止されるため、更に適正な頻度でスクリーンセーバを起動させることができる。
【００２０】
すなわち、前回のスクリーンセーバの実行タイミングからの経過時間が所定時間以下である場合に、スクリーンセーバの起動が禁止されるため、所定時間を適正な値（例えば、１分）に設定することによって、更に適正な頻度でスクリーンセーバを起動させることができるのである。
【００２１】
また、スクリーンセーバとして、ＰＤＰに表示される映像が、基準となる表示位置から少なくとも１画素分だけ、上下左右の少なくとも１の方向に移動されるため、ＰＤＰに表示される映像の品位の低下を抑制すると共に、ＰＤＰの焼き付きを防止することができる。
【００２２】
請求項２に記載の放送受信装置によれば、受信しているＴＳに含まれる映像の情報量である映像ビットレートが求められ、求められた映像ビットレートに基づいて、ＦＰＤの焼き付きを防止する処理であるスクリーンセーバを起動させるか否かが判定され、スクリーンセーバを起動させると判定された場合に、スクリーンセーバが実行されるため、確実にＦＰＤの焼き付きを防止することができる。
【００２３】
すなわち、ＴＳに含まれる映像の情報量である映像ビットレートに基づいて、ＦＰＤの焼き付きを防止する処理であるスクリーンセーバを起動させるか否かが判定されるため、例えば、映像ビットレートが予め設定された所定の閾値以下である場合には、映像の一部が静止画像である（例えば、背景に人物が居る映像である場合に、背景に対応する部分が静止画像である）ことが推定されるので、この場合にもスクリーンセーバを起動させると判定することによって確実にＦＰＤの焼き付きを防止することができるのである。
【００２４】
請求項３に記載の放送受信装置によれば、映像ビットレートの、予め設定された所定期間内の最大値が求められ、求められた最大値に基づいて、スクリーンセーバを起動させるか否かが判定されるため、適正な頻度でスクリーンセーバを起動させることができる。
【００２５】
すなわち、映像ビットレートの予め設定された所定期間内の最大値に基づいて、スクリーンセーバを起動させるか否かが判定されるため、静止画像（＝映像の一部が静止画像である場合も含む）が所定期間（例えば、３０秒間）以上表示される場合に限ってスクリーンセーバを起動させると判定されるので、所定期間を適正な値に設定することによって、適正な頻度でスクリーンセーバを起動させることができるのである。
【００２６】
請求項４に記載の放送受信装置によれば、ＦＰＤに出力される画面の解像度を示す解像度情報、ＦＰＤに出力される画面を更新する頻度を示すフレームレート情報、及び、ＦＰＤに出力される画面の走査方式を示す走査方式情報の少なくとも１の情報に基づいて、スクリーンセーバを起動させるか否かを判定する閾値である判定閾値が設定される。そして、映像ビットレートの予め設定された所定期間内の最大値が、設定された判定閾値以下であるか否かに基づいて、スクリーンセーバを起動させるか否かが判定されるため、更に適正な頻度でスクリーンセーバを起動させることができる。
【００２７】
すなわち、ＦＰＤに出力される画面の解像度を示す解像度が高い程、ＦＰＤに出力される画面を更新する頻度を示すフレームレートが高い程、映像ビットレートは増大し、ＦＰＤに出力される画面の走査方式がプログレッシブ方式である場合には、ＦＰＤに出力される画面の走査方式がインターレース方式である場合よりも映像ビットレートが増大するため、解像度情報、フレームレート情報、及び、走査方式情報の少なくとも１の情報に基づいてスクリーンセーバを起動させるか否かを判定する閾値である判定閾値が設定されるので、適正な判定閾値を設定することができる。また、適正な値に設定された判定閾値に基づいて、スクリーンセーバを起動させるか否かが判定されるため、更に適正な頻度でスクリーンセーバを起動させることができるのである。
【００２８】
請求項５に記載の放送受信装置によれば、スクリーンセーバが実行された時点からの経過時間が求められ、求められた経過時間が予め設定された所定時間以下である場合に、スクリーンセーバの起動が禁止されるため、更に適正な頻度でスクリーンセーバを起動させることができる。
【００２９】
すなわち、前回のスクリーンセーバの実行タイミングからの経過時間が所定時間以下である場合に、スクリーンセーバの起動が禁止されるため、所定時間を適正な値（例えば、１分）に設定することによって、更に適正な頻度でスクリーンセーバを起動させることができるのである。
【００３０】
請求項６に記載の放送受信装置によれば、スクリーンセーバとして、ＦＰＤに表示される映像が、基準となる表示位置から少なくとも１画素分だけ、上下左右の少なくとも１の方向に移動されるため、ＦＰＤに表示される映像の品位の低下を抑制すると共に、ＦＰＤの焼き付きを防止することができる。
【００３１】
請求項７に記載の放送受信装置によれば、ＦＰＤがＰＤＰからなるため、焼き付きを防止する効果が顕著となる。
【発明を実施するための最良の形態】
【００３２】
以下に本発明の実施形態を、図面を参照しながら説明する。図１は、本発明に係るデジタル放送受信装置の構成の一例を示すブロック図である。デジタル放送受信機１（放送受信装置に相当する）は、テレビジョン放送を受信し、後述するＰＤＰ１８３及びスピーカ１６３に出力するものであって、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００３３】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３４】
操作部１４は、電源のＯＮ、ＯＦＦ操作、選局等の各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３５】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に（＝映像情報、音声情報、チャンネル情報等に）分離して出力するものである。
【００３６】
音声出力部１６は、受信部１５によって受信された１のテレビジョン放送（又は他のテレビジョン放送）に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００３７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００３８】
画像出力部１８は、ＭＰＥＧ２デコード部１７によって復号化された動画像情報を出力するものであって、ＮＴＳＣエンコード部１８１、映像信号出力部１８２、及び、ＰＤＰ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をＰＤＰ１８３に対して出力するものである。ＰＤＰ１８３（ＦＤＰに相当する）は、映像信号出力部１８２から出力されたテレビジョン信号に対応する動画像を表示するものである。
【００３９】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４０】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００４１】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してＰＤＰ１８３に動画像が表示される。
【００４２】
図２は、本発明に係るデジタル放送受信機１の主要部の構成の一例を示すブロック図である。図１に示すデジタル放送受信機１のＭＰＵ１１は、機能的に、情報量算出部１１１、最大値算出部１１２、閾値設定部１１３、起動判定部１１４、セーバ実行部１１５、経過時間算出部１１６、及び、禁止部１１７を備えている。
【００４３】
ここでは、ＭＰＵ１１が、図１に示すＲＯＭ１３等に予め格納された制御プログラムを読み出して実行することにより、情報量算出部１１１、最大値算出部１１２、閾値設定部１１３、起動判定部１１４、セーバ実行部１１５、経過時間算出部１１６、禁止部１１７等の機能部として機能するものである。
【００４４】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４５】
情報量算出部１１１（情報量算出手段に相当する）は、受信部１５を介して受信しているＴＳに含まれる映像の情報量である映像ビットレートを求めるものである。ここでは、情報量算出部１１１は、例えば、予め設定された単位時間（例えば、１秒間）あたりの映像ビットレート（ｂｉｔ／ｓｅｃ）を求めるものである。
【００４６】
最大値算出部１１２（最大値算出手段に相当する）は、情報量算出部１１１によって求められた映像ビットレートの、予め設定された所定期間（例えば、３０秒間）内の最大値ＢＭを求めるものである。
【００４７】
閾値設定部１１３（閾値設定手段に相当する）は、ＰＤＰに出力される画面の解像度を示す解像度情報、ＰＤＰに出力される画面を更新する頻度を示すフレームレート情報、及び、ＰＤＰに出力される画面の走査方式を示す走査方式情報に基づいて、ＰＤＰの焼き付きを防止する処理であるスクリーンセーバを起動させるか否かを判定する閾値である判定閾値ＳＨを設定するものである。
【００４８】
図３は、閾値設定部１１３によって設定される判定閾値ＳＨの一例を示す図表である。図の左から順に、垂直方向の解像度（ドット）、水平方向の解像度（ドット）、フレームレート（Ｈｚ）、走査方式、判定閾値（Ｍｂｉｔ／ｓ）、最大映像ビットレート（Ｍｂｉｔ／ｓ）を示している。解像度は、ＰＤＰの画面におけるドット数で表され、例えば、垂直方向の解像度が「１０８０ドット」であり、水平方向の解像度が「１９２０ドット」である場合には、ＰＤＰの画面において、「１０８０×１９２０」個の画素が存在する画面である。
【００４９】
また、フレームレートは、１秒間に画面が更新される回数を示すものであり、例えば、「３０Ｈｚ」である場合には、１秒間に画面が３０回だけ更新されることを意味している。走査方式の欄の、「プログレッシブ」とは、走査線を連続して更新する方式であり、「インターレース」とは、走査線を１本おきに更新する方式である。
【００５０】
図に示すように、例えば、解像度が「１０８０×１９２０」であり、フレームレートが「３０Ｈｚ」であり、走査方式が「プログレッシブ」である場合には、判定閾値ＳＨとして、「１．６Ｍｂｉｔ／ｓ」が設定される。また、例えば、解像度が「４８０×６４０」であり、フレームレートが「３０Ｈｚ」であり、走査方式が「プログレッシブ」である場合には、判定閾値ＳＨとして、「０．３Ｍｂｉｔ／ｓ」が設定される。すなわち、判定閾値ＢＭは、ここでは、最大映像ビットレートの２％に設定されている。
【００５１】
ここでは、図１に示すＲＡＭ１２等に、図３に示すテーブルが予め格納されており、閾値設定部１１３は、ＲＡＭ１２に格納されたテーブルから対応する判定閾値ＳＨを読み出すことによって、判定閾値ＳＨを設定するものである。なお、ＰＤＰの解像度情報、フレームレート情報、及び、走査方式情報は、予め設定されて、図１に示すＲＡＭ１２等に格納されているものである。
【００５２】
再び、図２に戻って、ＭＰＵ１１の機能構成について説明する。起動判定部１１４（起動判定手段に相当する）は、最大値算出部１１２によって求められた映像ビットレートの最大値ＢＭが、閾値設定部によって設定された判定閾値ＳＨ以下であるか否かに基づいて、スクリーンセーバを起動させるか否かを判定するものである。すなわち、ここでは、映像ビットレートの３０秒間の最大値ＢＭが、判定閾値ＢＭ（＝最大映像ビットレートの２％）以下である場合には、映像の少なくとも一部が静止画像であると推定して、クリーンセーバを起動させるものである。
【００５３】
セーバ実行部１１５（セーバ実行手段に相当する）は、起動判定部１１４によってスクリーンセーバを起動させると判定された場合に、スクリーンセーバを実行するものである。ここでは、セーバ実行部１１５は、スクリーンセーバとして、ＰＤＰに表示される映像を、基準となる表示位置から１画素分だけ、上下左右の１の方向（例えば、左右方向）に移動させるものである。すなわち、セーバ実行部１１５は、奇数回目のスクリーンセーバの実行時に、ＰＤＰに表示される映像を左方向に移動させ、偶数回目のスクリーンセーバの実行時に、ＰＤＰに表示される映像を右方向に移動させるものである。
【００５４】
経過時間算出部１１６（経過時間算出手段に相当する）は、タイマ等の計時機能を備え、セーバ実行部１１５によってスクリーンセーバが実行された時点からの経過時間を求めるものである。
【００５５】
禁止部１１７（禁止手段に相当する）は、経過時間算出部１１６によって求められた経過時間が予め設定された所定時間（例えば、１分）以下である場合に、セーバ実行部１１５に対して、スクリーンセーバの起動を禁止するものである。
【００５６】
図３は、デジタル放送受信機１（主にＭＰＵ１１）の動作の一例を示すフローチャートである。まず、情報量算出部１１１によって、映像ビットレートが求められる（Ｓ１０１）。そして、最大値算出部１１２によって、所定期間（例えば、３０秒間）内の映像ビットレートの最大値ＢＭが求められる（Ｓ１０３）。次いで、閾値設定部１１３によって、判定閾値ＳＨが設定される（Ｓ１０５）。
【００５７】
次に、起動判定部１１４によって、最大値ＢＭが判定閾値ＳＨ以下であるか否かの判定が行われる（Ｓ１０７）。最大値ＢＭが判定閾値ＳＨ以下ではない（＝最大値ＢＭが判定閾値ＳＨより大きい）と判定された場合（Ｓ１０７でＮＯ）には、処理がステップＳ１０１に戻され、ステップＳ１０１以降の処理が繰り返し実行される。最大値ＢＭが判定閾値ＳＨ以下であると判定された場合（Ｓ１０７でＹＥＳ）には、禁止部１１７によって、セーバ実行部１１５によってスクリーンセーバが前回実行された時点からの経過時間が予め設定された所定時間（例えば、１分）以上であるか否かの判定が行われる（Ｓ１０９）。
【００５８】
経過時間が所定時間（例えば、１分）以上ではない（経過時間が所定時間（例えば、１分）未満である）と判定された場合（Ｓ１０９でＮＯ）には、処理がステップＳ１０１に戻され、ステップＳ１０１以降の処理が繰り返し実行される。経過時間が所定時間（例えば、１分）以上ではであると判定された場合（Ｓ１０９でＹＥＳ）には、セーバ実行部１１５によって、スクリーンセーバが実行され（Ｓ１１１）、処理が終了される。
【００５９】
このようにして、受信しているＴＳに含まれる映像の情報量である映像ビットレートが求められ、求められた映像ビットレートに基づいて、ＰＤＰ１８３の焼き付きを防止する処理であるスクリーンセーバを起動させるか否かが判定され、スクリーンセーバを起動させると判定された場合に、スクリーンセーバが実行されるため、確実にＰＤＰ１８３の焼き付きを防止することができる。
【００６０】
すなわち、ＴＳに含まれる映像の情報量である映像ビットレートに基づいて、ＰＤＰ１８３の焼き付きを防止する処理であるスクリーンセーバを起動させるか否かが判定されるため、例えば、映像ビットレートが予め設定された所定の閾値以下である場合には、映像の一部が静止画像である（例えば、背景に人物が居る映像である場合に、背景に対応する部分が静止画像である）ことが推定されるので、この場合にもスクリーンセーバを起動させると判定することによって確実にＰＤＰ１８３の焼き付きを防止することができるのである。
【００６１】
また、映像ビットレートの、予め設定された所定期間内の最大値ＢＭが求められ、求められた最大値ＢＭに基づいて、スクリーンセーバを起動させるか否かが判定されるため、適正な頻度でスクリーンセーバを起動させることができる。
【００６２】
すなわち、映像ビットレートの予め設定された所定期間内の最大値ＢＭに基づいて、スクリーンセーバを起動させるか否かが判定されるため、静止画像（＝映像の一部が静止画像である場合も含む）が所定期間（例えば、３０秒間）以上表示される場合に限ってスクリーンセーバを起動させると判定されるので、所定期間を適正な値（例えば、３０秒間）に設定することによって、適正な頻度でスクリーンセーバを起動させることができるのである。
【００６３】
更に、ＰＤＰ１８３に出力される画面の解像度を示す解像度情報、ＰＤＰ１８３に出力される画面を更新する頻度を示すフレームレート情報、及び、ＰＤＰ１８３に出力される画面の走査方式を示す走査方式情報に基づいて、スクリーンセーバを起動させるか否かを判定する閾値である判定閾値ＳＨが設定される。そして、映像ビットレートの予め設定された所定期間内の最大値ＢＭが、設定された判定閾値ＳＨ以下であるか否かに基づいて、スクリーンセーバを起動させるか否かが判定されるため、更に適正な頻度でスクリーンセーバを起動させることができる。
【００６４】
すなわち、ＰＤＰ１８３に出力される画面の解像度を示す解像度が高い程、ＰＤＰ１８３に出力される画面を更新する頻度を示すフレームレートが高い程、映像ビットレートは増大し、ＰＤＰ１８３に出力される画面の走査方式がプログレッシブ方式である場合には、ＰＤＰ１８３に出力される画面の走査方式がインターレース方式である場合よりも映像ビットレートが増大するため、解像度情報、フレームレート情報、及び、走査方式情報に基づいてスクリーンセーバを起動させるか否かを判定する閾値である判定閾値ＳＨが設定されるので、適正な判定閾値ＳＨを設定することができる。また、適正な値に設定された判定閾値ＳＨに基づいて、スクリーンセーバを起動させるか否かが判定されるため、更に適正な頻度でスクリーンセーバを起動させることができるのである。
【００６５】
加えて、スクリーンセーバが実行された時点からの経過時間が求められ、求められた経過時間が予め設定された所定時間（例えば、１分）以下である場合に、スクリーンセーバの起動が禁止されるため、更に適正な頻度でスクリーンセーバを起動させることができる。
【００６６】
すなわち、前回のスクリーンセーバの実行タイミングからの経過時間が所定時間以下である場合に、スクリーンセーバの起動が禁止されるため、所定時間を適正な値（例えば、１分）に設定することによって、更に適正な頻度でスクリーンセーバを起動させることができるのである。
【００６７】
また、スクリーンセーバとして、ＰＤＰ１８３に表示される映像が、基準となる表示位置から１画素分だけ、左右方向に移動されるため、ＰＤＰ１８３に表示される映像の品位の低下を抑制すると共に、ＰＤＰ１８３の焼き付きを防止することができる。
【００６８】
なお、本発明は、以下の形態にも適用可能である。
（Ａ）本実施形態では、ＦＤＰが、デジタル放送受信機１に配設されたＰＤＰ１８３である場合について説明したが、ＦＤＰが、デジタル放送受信機１とは別の装置として構成されている形態でもよい。例えば、ＦＤＰが、パーソナルコンピュータ等に配設されたＬＣＤ（Ｌｉｑｕｉｄ  Ｃｒｙｓｔａｌ  Ｄｉｓｐｌａｙ）等からなるＦＤＰである形態でもよい。
【００６９】
（Ｂ）本実施形態では、ＦＤＰがＰＤＰ１８３である場合について説明したが、ＦＤＰがその他の形態のＦＤＰである形態でもよい。例えば、ＦＤＰが、ＬＣＤ（Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイ等である形態でもよい。
【００７０】
（Ｃ）本実施形態では、閾値設定部１１３が、ＰＤＰに出力される画面の解像度を示す解像度情報、ＰＤＰに出力される画面を更新する頻度を示すフレームレート情報、及び、ＰＤＰに出力される画面の走査方式を示す走査方式情報に基づいて、判定閾値ＳＨを設定する場合について説明したが、閾値設定部１１３が、ＰＤＰに出力される画面の解像度を示す解像度情報、ＰＤＰに出力される画面を更新する頻度を示すフレームレート情報、及び、ＰＤＰに出力される画面の走査方式を示す走査方式情報の少なくとも１の情報に基づいて、判定閾値ＳＨを設定する形態でもよい。例えば、閾値設定部１１３が、ＰＤＰに出力される画面の解像度を示す解像度情報に基づいて、判定閾値ＳＨを設定する形態でもよい。
【００７１】
（Ｄ）本実施形態では、セーバ実行部１１５が、スクリーンセーバとして、ＰＤＰに表示される映像を、基準となる表示位置から１画素分だけ、上下左右の１の方向（例えば、左右方向）に移動させる場合について説明したが、セーバ実行部１１５が、その他の方法のスクリーンセーバを実行する形態でもよい。例えば、セーバ実行部１１５が、スクリーンセーバとして、ＰＤＰを構成する画素の内、輝度の高い画素について、一時的に輝度を下げる形態でもよい。
【００７２】
（Ｅ）本実施形態では、起動判定部１１４が、映像ビットレートの最大値ＢＭに基づいて、スクリーンセーバを起動させるか否かを判定する場合について説明したが、起動判定部１１４が、映像ビットレートの平均値に基づいて、スクリーンセーバを起動させるか否かを判定する形態でもよい。また、起動判定部１１４が、映像ビットレートに基づいてスクリーンセーバを起動させるか否かを判定する形態でもよい。この場合には、処理が簡略化される。
【図面の簡単な説明】
【００７３】
【図１】は、本発明に係るデジタル放送受信装置の構成の一例を示すブロック図である。
【図２】は、図１に示すデジタル放送受信機の主要部の構成の一例を示すブロック図である。
【図３】は、閾値設定部によって設定される判定閾値ＳＨの一例を示す図表である。
【図４】は、デジタル放送受信機（主にＭＰＵ）の動作の一例を示すフローチャートである。
【符号の説明】
【００７４】
１    デジタル放送受信機（放送受信装置）
１１    ＭＰＵ
１１１    情報量算出部（情報量算出手段）
１１２    最大値算出部（最大値算出手段）
１１３    閾値設定部（閾値設定手段）
１１４    起動判定部（起動判定手段）
１１５    セーバ実行部（セーバ実行手段）
１１６    経過時間算出部（経過時間算出手段）
１１７    禁止部（禁止手段）
１５    受信部
１８    画像出力部
１８３    ＰＤＰ（ＦＰＤ）
【図１】
2008135962.tif 000003
【図２】
2008135962.tif 000004
【図３】
2008135962.tif 000005
【図４】
2008135962.tif 000006